(57)【要約】【課題】肘掛としてだけでなく荷物置きやテーブルとしても不便なく用いることができる車両用座席のアームレストを提供する。【解決手段】アームレスト２０のレスト本体２１の上面には、肘掛面構成部材３０のための受け部２３ａが形成されている。肘掛面構成部材３０は、互いに背向するようにして接合された２つのパネル３１，３２を備えている。第１パネル３１は、クッション材３４と表皮３５を有し、軟質な第１面を構成している。第２パネル３２は、硬質材にて形成され第２面を構成している。肘掛面構成部材３０は、どちらのパネル３１，３２を表にした状態でも受け部２３ａに着脱できる。【選択図】  図４
2004268872.tif 000002
【特許請求の範囲】
【請求項１】
車両の座席に設けられたレスト本体と、このレスト本体とは別体をなす肘掛面構成部材とを備え、
上記レスト本体の肘掛側部には、受け部が設けられ、
上記肘掛面構成部材が、軟質の第１面と、硬質の第２面とを互いに背向するように有し、これら第１、第２面のどちら側を表にした状態でも上記受け部に着脱可能であることを特徴とする車両用座席のアームレスト。
【請求項２】
上記肘掛面構成部材が、互いに背向するようにして接合された第１、第２パネルを備え、上記第１パネルが、クッション材およびこれを覆う表皮を有して上記第１面を構成し、上記第２パネルが、硬質材にて形成され上記第２面を構成していることを特徴とする請求項１に記載の車両用座席のアームレスト。
【請求項３】
上記レスト本体の肘掛側の面には、上記受け部として凹部が形成され、この凹部に、上記第１、第２パネルのうち裏になる側のパネルが嵌め込まれることを特徴とする請求項２に記載の車両用座席のアームレスト。
【請求項４】
上記第１パネルが、芯材と上記クッション材と上記表皮を順次積層してなり、上記芯材と上記第２パネルとが、互いに分離可能に接合されていることを特徴とする請求項２または３に記載の車両用座席のアームレスト。
【請求項５】
上記レスト本体には、単一のロック手段が設けられ、上記肘掛面構成部材には、第１面を表にして受け部に取り付けたときに上記ロック手段と対峙する位置に来てロック手段と係合する第１係合部と、第２面を表にして受け部に取り付けたときに上記ロック手段と対峙する位置に来てロック手段と係合する第２係合部とが設けられていることを特徴とする請求項１〜４の何れかに記載の車両用座席のアームレスト。
【請求項６】
上記肘掛面構成部材には、その中心線上に単一の共通係合部が設けられ、この共通係合部が、上記第１、第２面のどちら側を表にした状態でも上記ロック手段に係合可能であり、これにより上記第１、第２係合部として共用されていることを特徴とする請求項５に記載の車両用座席のアームレスト。
【請求項７】
上記ロック手段が、上記レスト本体にスライド可能に設けられたロック部材と、このロック部材を上記受け部内に突出するように付勢する付勢手段と、ロック部材に一体に連なりロック部材を上記受け部から引込ませるためのつまみとを有し、上記第１、第２係合部が、上記突出したロック部材を嵌め込む孔部であることを特徴とする請求項５または６に記載の車両用座席のアームレスト。
【発明の詳細な説明】
【０００１】
【発明の属する技術分野】
この発明は、車両用座席のアームレストに関する。
【０００２】
【従来の技術】
一般に、車両のベンチタイプシートなどの座席には、アームレストが設けられている。ベンチタイプシートのアームレストは、背もたれを兼ねていることが多く（特許文献１等参照）、例えば、左右の幅広の背もたれの間に幅狭の背もたれが設けられ、この幅狭背もたれを前に倒すことにより、アームレストとなる。こうしたアームレストの肘掛面（倒したとき上になる面）は、通常、背もたれ面と同様に、クッション材を表皮で覆うことにより軟質に構成されている。
【０００３】
【特許文献１】
特開平１１−２０８３２９（第５頁、第５図）
【０００４】
【発明が解決しようとする課題】
アームレストは、肘掛け以外にも、荷物を置いたり、テーブル代わりにしたりなど、種々の使い方があり得る。しかし、肘掛面が軟質であると、用途によっては利用しにくい場合がある。
【０００５】
【課題を解決するための手段】
上記問題点を解決するために、本発明に係るアームレストは、車両の座席に設けられたレスト本体と、このレスト本体とは別体をなす肘掛面構成部材とを備え、上記レスト本体の肘掛側部には、受け部が設けられ、上記肘掛面構成部材が、軟質の第１面と、硬質の第２面とを互いに背向するように有し、これら第１、第２面のどちら側を表にした状態でも上記受け部に着脱可能であることを特徴とする。
これによって、アームレストの肘掛面を軟質と硬質とでリバーシブルにすることができ、例えば肘掛として使用するときは軟質にし、荷物置きやテーブル代わりに使用するときは硬質にする等、その時々の用途に応じて使い分けることができ、利便性を向上させることができる。
【０００６】
上記第２面は、平らであることが望ましい。これによって、第２面を表にしてテーブルや荷物置き等として使用する場合、載置物の安定性やテーブル上の作業の容易性を確実に得ることができる。
上記肘掛面構成部材が、互いに背向するようにして接合された第１、第２パネルを備え、上記第１パネルが、クッション材およびこれを覆う表皮を有して上記第１面を構成し、上記第２パネルが、硬質材にて形成され上記第２面を構成していることが望ましい。これによって、肘掛面構成部材の構造を簡単化できる。
上記レスト本体の肘掛側の面には、上記受け部として凹部が形成され、この凹部に、上記第１、第２パネルのうち裏になる側のパネルが嵌め込まれることが望ましい。これによって、肘掛面構成部材を受け部に安定収容できるとともに、外観をすっきりさせることができる。
上記第１パネルが、芯材と上記クッション材と上記表皮を順次積層してなり、上記芯材と上記第２パネルとが、互いに分離可能に接合されていることが望ましい。これによって、第１パネルの保形性を維持できるとともに、第１、第２パネルどうしを分離・接合可能にすることができ、第１パネルだけを別のデザインのものに取り替えたり、第２パネルが傷んだ場合それだけを取り替えたりすることができる。
上記芯材と上記第２パネルのうち一方には、係止孔が設けられ、他方には、上記係止孔に取外し可能に係止される係止爪が設けられていることが望ましい。これによって、第１、第２パネルどうしを確実に合体化できるとともに、分離・接合操作を容易に行うことができる。
【０００７】
上記レスト本体には、単一のロック手段が設けられ、上記肘掛面構成部材には、第１面を表にして受け部に取り付けたときに上記ロック手段と対峙する位置に来てロック手段と係合される第１係合部と、第２面を表にして受け部に取り付けたときに上記ロック手段と対峙する位置に来てロック手段と係合される第２係合部とが設けられていることが望ましい。これによって、肘掛面構成部材をレスト本体にロックでき、使用中に脱落することがないようにすることができる。しかも、１つのロック手段によって第１、第２面のどちら側を表にした場合にも対応することができ、構成を簡素化することができる。
上記肘掛面構成部材には、その中心線上に単一の共通係合部が設けられ、この共通係合部が、上記第１、第２面のどちら側を表にした状態でも上記ロック手段に係合可能であり上記第１、第２係合部として共用されていることが望ましい。これによって、ロック構成の一層の簡素化を図ることができる。
上記ロック手段が、上記レスト本体にスライド可能に設けられたロック部材と、このロック部材を上記受け部内に突出するように付勢する付勢手段と、ロック部材に一体に連なりロック部材を上記受け部から引込ませるためのつまみを有し、上記第１、第２係合部が、上記突出したロック部材を嵌め込む孔部（嵌合凹部）であることが望ましい。これによって、肘掛面構成部材を簡単かつ確実にロックおよびロック解除することができる。
【０００８】
【発明の実施の形態】
以下、本発明の一実施形態を、図面を参照して説明する。
図１は、例えばワゴン車の後部座席やワンボックスカーの２列目座席等として用いられるベンチシート１０を示したものである。ベンチシート１０は、６：４に分割されたクッション部１１と、４：２：４に分割されたバックレスト部１２とを備えている。バックレスト部１２のセンターバックレスト２０は、起立したバックレスト位置（図１の実線）と、前方へ水平に伏したアームレスト位置（同図の仮想線）との間で起伏可能になっており、本発明に係るアームレストを構成している。
【０００９】
図２および図３に示すように、センターバックレストすなわちアームレスト２０は、レスト本体２１と、このレスト本体２１とは別体をなしてその肘掛側部に設けられた肘掛面構成部材３０とを備えている。ここで、アームレスト２０の「肘掛側」とは、上記アームレスト位置のときの上側（バックレスト位置のときの後側）を言う。以下、特にことわらない限り、アームレスト２０はアームレスト位置にあるものとして説明し、上下、前後、左右などの方向ないしは位置関係は、アームレスト位置の状態で表現するものとする。
【００１０】
図４に示すように、レスト本体２１は、金属製のフレーム２２と、このフレーム２２の上側に被せられた硬質樹脂製のカバー２３と、フレーム２２の下側（バックレスト位置のときの前面側）に設けられた発泡樹脂製の背もたれパッド２４と、このパッド２４を覆う背もたれ表皮２５とを有している。図２に示すように、カバー２３は、前後に細長い四角形状をなしている。このカバー２３の上面に、大きな凹部２３ａが設けられている。この凹部２３ａが、上記肘掛面構成部材３０のための受け部となっている。この受け部２３ａを画成する前後の壁２３ｆ，２３ｒは、中空になっている。前側の壁２３ｆには、後記ロック部材２６が設けられ、後側の壁２３ｒには、左右一対の孔部２３ｃが形成されている。受け部２３ａの左右の壁２３ｓは、前後の壁２３ｆ，２３ｒより低く、薄肉になっている。
なお、レスト本体２１の前面（バックレスト位置のときの上面）の一対の孔２１ａは、ヘッドレストステーの挿通孔である。
壁２３ｆに、カップホルダを出し入れ可能に設けることにしてもよい。
【００１１】
図２および図４に示すように、肘掛面構成部材３０は、第１、第２の２つのパネル３１，３２で構成されている。第１パネル３１（第１面構成部材）は、保形用の芯材３３と、肘掛パッド３４（クッション材）と、肘掛表皮３５とを順次積層することによって構成されている。芯材３３は、硬質樹脂によって前後に細長い四角形の板状に形成されている。なお、芯材３３は、硬質であればよく、樹脂に限らず、金属で構成してもよい。芯材３３の左右の縁部には、複数の係止爪３３ａが、芯材３３の裏側（図４において下側）へ突出するように設けられている。肘掛パッド３４は、発泡樹脂（軟質材）によって板状に形成され、芯材３３の表側の面（図４において上側の面）を覆っている。肘掛パッド３４は、上記背もたれパッド２４より薄くなっている。表皮３５は、肘掛パッド３４の表面を覆うことにより、「軟質の第１面」を構成している。表皮３５の周縁部は、芯材３３の縁部に止着されている。
【００１２】
第２パネル３２（第２面構成部材）は、硬質樹脂（硬質材）によって構成され、芯材３３よりひとまわり大きな浅底箱状をなしている。第２パネル３２の平らな外底面（表側面、図４において下側面）は、「硬質の第２面」を構成している。図５に示すように、第２パネル３２の前側の壁３２ｆの左右中央には、１つの係合孔３２ｂ（共通係合部）が形成されている。後側の壁３２ｒには、左右一対の凸部３２ｃが設けられている。図４に示すように、左右の壁３２ｓには、係止孔３２ａが形成されている。これら壁３２ｓの縁部には、鍔３２ｄが外側へ突出するように設けられている。
【００１３】
第１、第２パネル３１，３２は、互いに背向するとともに分離可能に接合されている。すなわち、第１パネル３１の芯材３３の裏面と第２パネル３２の裏面どうしが向かい合わされ、芯材３３の係止爪３３ａが第２パネル３２の係止孔３２ａに係止されている。なお、この状態で、表皮３５の周縁部は、芯材３３と壁３２ｆ，３２ｒ，３２ｓの間に挟まれ、外から見えないようになっている。
【００１４】
図３および図４に示すように、肘掛面構成部材３０は、第１パネル３１を上に向け、第２パネル３２を下に向けた状態で、レスト本体２１に取り付けられている。これによって、第１パネル３１の表皮３５が、アームレスト２０の肘掛面として露出されている。第２パネル３２は、レスト本体２１の受け部２３ａに嵌まり込んでいる。そして、左右の鍔３２ｄが、受け部２３ａの左右の壁２３ｓに当てられている。また、図５に示すように、第２パネル３２の後側の一対の凸部３２ｃが、受け部２３ａの後壁２３ｒの一対の孔部２３ｃにそれぞれ差し入れられている。
【００１５】
更に、レスト本体２１には、肘掛面構成部材３０の脱落を防止するロック手段が設けられている。ロック手段は、上記ロック部材２６と、つまみ２７と、圧縮コイルばね２８とで構成されている。ロック部材２６は、棒状をなしてカバー２３の前壁２３ｆの左右中央において前後に延びるようにして収容されている。つまみ２７は、ロック部材２６の前端部に一体に連なるとともに壁２３ｆの前面に配置されている。圧縮コイルばね２８は、ロック部材２６の外周に嵌められている。この圧縮コイルばね２８の前端部が、壁２３ｆの前側の内面に突き当たるとともに、後端部が、ロック部材２６の中途部に設けられたばね座２６ａに突き当てられている。これによって、ロック部材２６が、後方へ付勢され、壁２３ｆの孔２３ｂを通して受け部２３ａ内に突出されている。このロック部材２６の突出部分が、第２パネル３２の係合孔３２ｂに嵌り込んでいる。これによって、肘掛面構成部材３０がレスト本体２１の受け部２３ａにロックされている。
【００１６】
つまみ２７をばね２８の付勢に抗して手前に引くと、ロック部材２６を係合孔３２ｂから抜くことができる。これによって、上記ロック状態を解除でき、肘掛面構成部材３０をレスト本体２１の受け部２３ａから取り出すことができる。肘掛面構成部材３０を受け部２３ａに嵌め込むときは、つまみ２７を引いてロック部材２６を退避させておく。そして、肘掛面構成部材３０の嵌め込み後につまみ２７を離す。
【００１７】
本発明の最も特徴的な点は、肘掛面構成部材３０が、リバーシブルであるということである。すなわち、肘掛面構成部材３０は、上述のように第１パネル３１を上にした状態だけでなく、図６および図７に示すように、第２パネル３２を上にした状態でも、レスト本体２１に取り付けることができるようになっている。後者の状態では、浅底箱状の第２パネル３２の外底面（図７において上面）が露出されることになる。一方、第１パネル３１のパッド３４および表皮３５は、レスト本体２１の受け部２３ａに収容されることになる。詳細な図示は省略するが、この状態でも、ロック部材２６が、第２パネル３２の前側の係合孔３２ｂと対向し、これに嵌り込むことができるようになっている。また、第２パネル３２の後側の一対の凸部３２ｃが、レスト本体２１の孔部２３ｃに差し入れることができるようになっている。さらに、鍔３２ｄが、壁２３ｓの上縁部に当たるようになっている。
【００１８】
上記構成のアームレスト２０によれば、肘掛面構成部材３０をレスト本体２１から一旦外した後、ひっくり返して再び取り付けることにより、その時々の用途に応じて、軟質面の第１パネル３１を上にしたり、硬質面の第２パネル３２を上にしたりすることができ、利便性を向上させることができる。例えば、肘掛として使用するときは、第１パネル３１を上にする。これによって、表皮３５ひいてはパッド３４の上に肘を掛けることができ、安楽性を確保できる。一方、荷物置きやテーブル代わりに使用したいときは、第２パネル３２を上にする。これによって、物を安定的に載置したり書き物などのテーブル作業を容易に行ったりすることができる。また、第２パネル３２は平らであるので、テーブルや荷物置き等として使用する場合、載置物の安定性を一層高めることができ、テーブル上の作業を一層容易化することができる。更に、載置物で第２パネル３２が汚れたり傷が付いたりしても、ひっくり返すことによって隠すことができる。
第１パネル３１を上にしたときは、下側の第２パネル３２を受け部２３ａに嵌め込むことができる。第２パネル３２を上にしたときは、下側の第１パネル３１を受け部２３ａに嵌め込むことができる。これによって、何れの場合においても、肘掛面構成部材３０を安定収容できるとともに、外観をすっきりさせることができる。
第１、第２パネル３１，３２どうしは分離・接合可能であるので、これらパネル３１，３２を別々に交換したり、組み合わせを容易に変えたりすることができる。
第１、第２パネル３１，３２のどちらを上にした状態でも、同じロック部材２６を同じ係合孔３２ｂに嵌め込んでロックすることができ、ロック構造の簡素化を図ることができる。
つまみ２７を離すとばね２８の付勢で自然とロックされ、つまみ２７を引くとロック解除できる。これにより、ロックおよびロック解除操作を容易に行うことができる。
【００１９】
本発明は、上記実施形態に限定されず、種々の形態を採用可能である。
例えば、ベンチシートに限られず、前側座席などのセパレートシートに設けられたアームレストにも適用できる。
受け部は、肘掛面構成部材を着脱可能に取り付けることができるようになっていればよく、凹部になっていなくてもよい。
第１、第２パネルどうしの接合手段として、第１パネルの芯材に係止孔を設け、第２パネルに係止爪を設けることにしてもよい。また、これらパネルの接合手段は、係止孔と係止爪に限らず、ネジを用いてもよく、接着剤を用いてもよい。
第１パネルの芯材を省き、クッション材を第２パネルの裏面に貼り付け、第２パネルによって第１パネルの保形用の芯材を兼ねさせることにしてもよい。
ロック手段を、レスト本体の左右何れかにずらして配置してもよく、肘掛面構成部材には、第１面を表にして受け部に取り付けたときに上記ロック手段と対峙する位置に来てロック手段と係合する第１係合部と、第２面を表にして受け部に取り付けたときに上記ロック手段と対峙する位置に来てロック手段と係合する第２係合部とが、別個に設けられていてもよい。ロック手段は、例えばボルトなどのネジ部材で構成され、これを肘掛面構成部材に押し当てたり捩じ込んだりすることにより、肘掛面構成部材を脱落不能にロックするようになっていてもよい。
【００２０】
【発明の効果】
以上説明したように、本発明によれば、アームレストの肘掛面を軟質と硬質とでリバーシブルにすることができ、例えば肘掛として使用するときは軟質にし、荷物置きやテーブル代わりに使用するときは硬質にする等、その時々の用途に応じて使い分けることができ、利便性を向上させることができる。
【図面の簡単な説明】
【図１】本発明の一実施形態に係るアームレストが適用されたベンチシートの斜視図である。
【図２】上記アームレストのレスト本体と肘掛面構成部材を分離して示す斜視図である。
【図３】上記肘掛面構成部材の第１パネルを上にして、肘掛面構成部材をレスト本体に取り付けた状態のアームレストを示す斜視図である。
【図４】図３のＩＶ−ＩＶ線に沿う上記アームレストの正面断面図である。
【図５】図３のＶ−Ｖ線に沿う上記アームレストの平面断面図である。
【図６】上記肘掛面構成部材の第２パネルを上にして、肘掛面構成部材をレスト本体に取り付けた状態のアームレストを示す斜視図である。
【図７】図６のＶＩＩ−ＶＩＩ線に沿う上記アームレストの正面断面図である。
【符号の説明】
１０  ベンチシート（車両用座席）
２０  センターバックレスト兼アームレスト
２１  レスト本体
２３ａ  凹部すなわち受け部
２６  ロック部材
２７  つまみ
２８  圧縮コイルばね
３０  肘掛面構成部材
３１  第１パネル（第１面構成部）
３２  第２パネル（第２面構成部）
３２ｂ  係合孔（単一の共通係合部、第１、第２係合部）
３３  芯材
３４  肘掛パッド（クッション材）
３５  肘掛表皮（第１面）
【図１】
2004268872.tif 000003
【図２】
2004268872.tif 000004
【図３】
2004268872.tif 000005
【図４】
2004268872.tif 000006
【図５】
2004268872.tif 000007
【図６】
2004268872.tif 000008
【図７】
2004268872.tif 000009